(57)【要約】【課題】意匠性に優れ、気流感の少ない空気を効率的に送り出すことができ、かつ眩しさを感じず、心地よい光を届けることのできる、ダクト空調・照明一体型システムを提供する。【解決手段】本発明のダクト空調・照明一体型システムは、室内の天井に配置され、底部及び側部を有し、空気を案内するダクトと、ダクトの側部に設けられ、天井に向けて光を放射する照明具と、を備える。ダクトは、側部から側方に突出する顎部を備え、照明具は、顎部上に設けられている。【選択図】図６
2018194259.tif 000002
【特許請求の範囲】
【請求項１】
室内の天井に配置され、底部及び側部を有し、空気を案内するダクトと、
前記ダクトの前記側部に設けられ、前記天井に向けて光を放射する照明具と、を備える、ダクト空調・照明一体型システム。
【請求項２】
前記ダクトは、前記側部から側方に突出する顎部を備え、前記照明具は、前記顎部上に設けられている、請求項１に記載のダクト空調・照明一体型システム。
【請求項３】
前記顎部は、その先端部に、上方に延びる立上り部を備える、請求項２に記載のダクト空調・照明一体型システム。
【請求項４】
前記照明具は、シェードで覆われている、請求項１に記載のダクト空調・照明一体型システム。
【請求項５】
前記照明具は、前記ダクトの前記側部に設けられた導光板照明具である、請求項１に記載のダクト空調・照明一体型システム。
【請求項６】
前記ダクトの前記側部は、前記天井から下方に延びる第一の側部と、前記ダクトの前記底部から上方に延びる第二の側部と、を備え、前記第一の側部と、前記第二の側部との間には、隙間が形成されている、請求項１〜５の何れかに記載のダクト空調・照明一体型システム。
【請求項７】
前記室内は、互いに対向して配置される第一の壁部及び第二の壁部を備え、前記ダクトは、前記第一の壁部の端部近傍及び前記第二の壁部の端部近傍まで延びるように形成されている、請求項１〜６の何れかに記載のダクト空調・照明一体型システム。
【請求項８】
前記照明具は、直管型ＬＥＤを含む、請求項１〜７の何れかに記載のダクト空調・照明一体型システム。
【請求項９】
前記天井及び前記ダクトの前記側部の少なくとも何れか一方には、前記照明具から放射された前記光を反射する反射フィルムが被覆されている、請求項１〜８の何れかに記載のダクト空調・照明一体型システム。
【請求項１０】
前記室内の前記天井に配置された空調機と、
前記天井に沿って配置され、前記空調機の空気の吹出口から吹き出された風を案内して、前記室内に前記空気を送り出す請求項１〜９の何れかに記載のダクトと、を備える、ダクト空調・照明一体型システム。
【発明の詳細な説明】
【技術分野】
【０００１】
本発明は、ダクト空調システムに関し、特に、ダクト空調・照明一体型システムに関する。
【背景技術】
【０００２】
従来より、オフィスビルや公共施設等の建物において、空調システムとして、天井空間等に設置されるダクトを利用して空気を供給するダクト空調システムが、使用されている。この種のダクト空調システムが、例えば、特開２０１４‐１２６３１３号公報（特許文献１）に記載されている。
【０００３】
特許文献１に記載のダクト空調システムは、下面側の長手方向に、所定の間隔で複数の開口部を備えた矩形空調ダクトと、温風又は冷風を吹き出す気流吹出手段を備え、かつ、該開口部に着脱自在に装着可能に構成した制気口ユニットと、を備える。そして、この種のダクト空調システムは、空調の必要箇所の直近開口部に、該制気口ユニットを設置可能に構成されている。
【０００４】
係るダクト空調システムでは、制気口ユニットは、気流吹出手段に替えて、又は、気流吹出手段に加えて、照明機器を、さらに備えるようになっている。
【０００５】
このような構成によって、特にオフィスのパーソナルスペースにおいて、居住者各人の好みに応じた空調と照明の実現が可能となり、また、エネルギー消費の抑制にも寄与するという効果がある、とされている。
【先行技術文献】
【特許文献】
【０００６】
【特許文献１】特開２０１４‐１２６３１３号公報
【発明の概要】
【発明が解決しようとする課題】
【０００７】
しかしながら、特許文献１に記載のダクト空調システムでは、気流吹出手段を備えた制気口ユニットは、上述のように、ダクトの下面側の長手方向に形成された複数の開口部に、露出して設けられているため、意匠性に問題があった。また、制気口ユニットから吹き出される空気は、居住者に直接供給されるようになるため、居住者は、気流による乾燥感や温風感又は冷風感を感じる、といった問題がある。
【０００８】
また、特許文献１に記載のダクト空調システムでは、照明機器は、制気口ユニットと同様に、ダクトの下面側の長手方向に形成された複数の開口部に、露出して設けられているため、意匠性に問題があった。また、照明機器からの光は、居住者に直接供給されるようになるため、居住者によっては、眩しさを感じる、という問題があった。
【０００９】
そこで、本発明は、斯かる実情に鑑み、意匠性に優れ、気流感の少ない空気を効率的に送り出すことができ、かつ眩しさを感じず、心地よい光を届けることのできる、ダクト空調・照明一体型システムを提供することを目的とする。
【課題を解決するための手段】
【００１０】
本発明に係るダクト空調・照明一体型システムは、室内の天井に配置され、底部及び側部を有し、空気を案内するダクトと、前記ダクトの前記側部に設けられ、前記天井に向けて光を放射する照明具と、を備える、ことを特徴とする。
【００１１】
例えば、室内の天井に配置された空調機等から吹き出された空気を、ダクトを介して、室内に案内する場合、空調機等から室内に直接吹き出された空気に比し、ダクトから案内された空気は、気流感の少ない空気となって室内に送り出される。
【００１２】
上記構成のダクト空調・照明一体型システムによれば、室内の天井に配置され、底部及び側部を有し、空気を案内するダクトを備えるため、気流感の少ない空気を効率的に送り出すことができ、ダクトによって流れを拘束されることにより、気流到達範囲を拡大することができる。さらに、気流到達範囲を拡大することができるため、空調機等の台数を通常より減らしても、平面的に温度差の少ない空調とすることができる。
【００１３】
また、上記構成のダクト空調・照明一体型システムによれば、ダクトの側部に設けられ、天井に向けて光を放射する照明具を備えるため、ダクトの側部に設けられた照明具が、居住者から見えにくく、かつ意匠性に優れている。そして、照明具から放射された光が、天井に向けて放射されるため、光が室内に拡散され、照明具から室内に直接放射される光に比し、居住者が、眩しさを感じず、心地よい光を届けることができる。
【００１４】
さらに、照明具から室内に直接放射された光と異なり、照度を落として省エネを図ることができるが、明るさ感を低下させることなく、間接照明としての役割を果たす。また、間接照明によって、天井を高く見せられるといった、視覚的効果も有することができる。
【００１５】
本発明の一態様として、前記ダクトは、前記側部から側方に突出する顎部を備え、前記照明具は、前記顎部上に設けられている、のが好ましい。
【００１６】
上記構成のダクト空調・照明一体型システムによれば、ダクトは、側部から側方に突出する顎部を備え、照明具は、顎部上に設けられているため、ダクトの顎部に設けられた照明具が、ダクトに安定して取り付けられるとともに、居住者からより見えにくく、意匠性により優れたものとなる。
【００１７】
本発明の他態様として、前記顎部は、その先端部に、上方に延びる立上り部を備える、のが好ましい。
【００１８】
上記構成のダクト空調・照明一体型システムによれば、顎部は、その先端部に、上方に延びる立上り部を備えるため、照明具が、立上り部によって、居住者からさらに見えにくく、意匠性にさらに優れたものとなる。また、照明具から放射された光が、顎部から室内に直接漏れ出すことを防ぐことができる。
【００１９】
本発明の他態様として、前記照明具は、シェードで覆われている、のが好ましい。
【００２０】
上記構成のダクト空調・照明一体型システムによれば、照明具は、シェードで覆われているため、シェードで覆われた照明具が、居住者から見えなくなり、美観を向上させ、意匠性にさらに優れたものとなる。また、照明具から放射された光が、シェードによってより拡散しやすくなる。
【００２１】
本発明のさらに他の態様として、前記照明具は、前記ダクトの前記側部に設けられた導光板照明具である、のが好ましい。
【００２２】
上記構成のダクト空調・照明一体型システムによれば、導光板照明具により、表面に均一の光を出すことができる。また、居住者が、導光板照明具から天井に向けて放射された光によって、眩しさを感じず、心地よい光を届けることができる。
【００２３】
本発明のさらに別の態様として、前記ダクトの前記側部は、前記天井から下方に延びる第一の側部と、前記ダクトの前記底部から上方に延びる第二の側部と、を備え、前記第一の側部と、前記第二の側部との間には、隙間が形成されている、のが好ましい。
【００２４】
上記構成のダクト空調・照明一体型システムによれば、ダクトの側部は、天井から下方に延びる第一の側部と、ダクトの底部から上方に延びる第二の側部と、を備え、第一の側部と、第二の側部との間には、隙間が形成されているため、ダクトに案内された空気は、第一の側部と第二の側部との間の隙間から室内に送り出されるが、照明具から放射された光は、隙間を通ることができない構成になっている。
【００２５】
すなわち、ダクトに案内され、第一の側部と第二の側部との間の隙間から送り出された空気は、天井に沿う方向に流れ、より気流感の少ない空気となって下降し、室内に送り出されるようになる。
【００２６】
また、照明具から天井に向けて放射された光は、隙間からダクト内に入って干渉することがなく、ダクト内が、居住者から見えることがない。
【００２７】
本発明のさらに別の態様として、前記室内は、互いに対向して配置される第一の壁部及び第二の壁部を備え、前記ダクトは、前記第一の壁部の端部近傍及び前記第二の壁部の端部近傍まで延びるように形成されている、のが好ましい。
【００２８】
上記構成のダクト空調・照明一体型システムは、室内は、互いに対向して配置される第一の壁部及び第二の壁部を備え、ダクトは、第一の壁部の端部近傍及び第二の壁部の端部近傍まで延びるように形成されているため、ダクトから案内された気流感の少ない空気を、室内全体に亘って、効率的に送り出すことができるとともに、照明具から天井に向けて放射された光を、室内全体に亘って届けることができ、居住者が、眩しさを感じず、心地よい光を届けることができる。
【００２９】
本発明のさらに別の態様として、前記照明具は、直管型ＬＥＤを含む、のが好ましい。
【００３０】
上記構成のダクト空調・照明一体型システムによれば、照明具は、直管型ＬＥＤを含むため、従来の蛍光灯等を使用する場合に比し、ランニングコストを削減することができる。
【００３１】
本発明のさらに別の態様として、前記天井及び前記ダクトの前記側部の少なくとも何れか一方には、前記照明具から放射された前記光を反射する反射フィルムが被覆されている、のが好ましい。
【００３２】
上記構成のダクト空調・照明一体型システムによれば、天井及びダクトの側部の少なくとも何れか一方には、照明具から放射された光を反射する反射フィルムが被覆されているため、照明具から天井に向けて放射された光が、反射フィルムによって効率的に反射され、照度を落としても、明るさ感を低下させることがない。また、室内全体に亘って、眩しさを感じず、より心地よい光を届けることができる。
【００３３】
本発明のさらに別の態様として、前記室内の前記天井に配置された空調機と、前記天井に沿って配置され、前記空調機の空気の吹出口から吹き出された風を案内して、前記室内に前記空気を送り出す上記の何れかに記載のダクトと、を備える、のが好ましい。
【００３４】
上記構成のダクト空調・照明一体型システムによれば、室内の天井に配置された空調機と、天井に沿って配置され、空調機の空気の吹出口から吹き出された風を案内して、室内に空気を送り出す上記の何れかに記載のダクトと、を備えるため、空調機の空気の吹出口から吹き出された風を、ダクトを介して案内することで、気流感の少ない空気を効率的に送り出すことができる。
【００３５】
また、ダクトの側部に設けられた照明具が、居住者から見えにくく、かつ意匠性に優れている。そして、居住者が、眩しさを感じず、心地よい光を届けることができる。
【発明の効果】
【００３６】
以上のように、本発明のダクト空調・照明一体型システムによれば、意匠性に優れ、気流感の少ない空気を効率的に送り出すことができ、眩しさを感じず、心地よい光を届けることができる、といった優れた効果を奏し得る。
【図面の簡単な説明】
【００３７】
【図１】本発明の一実施形態に係るダクト空調・照明一体型システムの概要構成を示す断面図である。
【図２】本発明の一実施形態に係るダクト空調・照明一体型システムの概要構成を示す平面図である。
【図３】本発明の一実施形態に係るダクト空調・照明一体型システムを下から見た図である。
【図４】本発明の一実施形態に係るダクト空調・照明一体型システムを介してペリメータゾーンに空気が吹出されている様子を示す図である。
【図５】本発明の一実施形態に係るダクト空調・照明一体型システムの概要構成がオフィスに設けられている様子を示す図である。
【図６】本発明の一実施形態に係るダクト空調・照明一体型システムの側部に設けられた照明具の断面図である。
【図７】本発明の一実施形態に係るダクト空調・照明一体型システムの側部に設けられた照明具の変形例の断面図である。
【図８】本発明の一実施形態に係るダクト空調・照明一体型システムの側部に設けられた照明具の変形例の断面図である。
【図９】本発明の一実施形態に係るダクト空調・照明一体型システムの側部に設けられた照明具の変形例の断面図である。
【図１０】本発明の一実施形態に係るダクト空調・照明一体型システムの側部に設けられた照明具の変形例の断面図である。
【発明を実施するための形態】
【００３８】
以下、本発明の一実施形態に係るダクト空調・照明一体型システムの概略について、添付図面を参照して説明する。
【００３９】
本実施形態に係るダクト空調・照明一体型システムは、例えば、オフィスビルや、公共施設等の建物において、天井空間等に設置されるダクトを利用して、空気を供給するダクト空調と、照明とを、一体的に形成したシステムである。
【００４０】
図１に示すように、本実施形態に係るダクト空調・照明一体型システム１００は、空調部１０と、該空調部１０に取り付けられた照明具３０と、を備える。なお、照明具３０の構成については、後述する。
【００４１】
（空調部１０の構成）
本実施形態に係る空調部１０は、図１〜３に示すように、室内Ｒの天井ＣＬに配置され、空気の吹出口１１ａを有する空調機１１と、天井ＣＬに沿って配置され、空調機１１の空気の吹出口１１ａから吹き出された空気Ａを案内して、室内Ｒに空気Ａを送り出すダクト１２と、を備える。なお、図１〜図３中の矢印は、空気Ａの流れを表している。
【００４２】
室内Ｒは、互いに対向して配置される第一の壁部Ｗ１及び第二の壁部Ｗ２を備える。第一の壁部Ｗ１及び第二の壁部Ｗ２には、例えば、窓Ｗが設けられている。室内Ｒには、例えば、一般的なオフィス等と同様に、複数の机Ｄや、複数組の椅子Ｃ、書棚ＢＳ、及び間仕切り棚ＰＳ等が配置されている。
【００４３】
本実施形態において、空調機１１は、一般的な空調機を使用可能であり、例えば、天井カセット型の空気調和機、及び天井カセット型の空気清浄機等に使用されるものである。
【００４４】
本実施形態において、ダクト１２は、側部１３及び底部１４を有する。ダクト１２の側部１３には、空気Ａを室内Ｒに向けて送り出す開口１５が形成されている。
【００４５】
より具体的には、ダクト１２の側部１３のそれぞれには、空気の吹出口１１ａから吹き出された空気Ａを、天井ＣＬに沿って、水平方向に送り出す開口１５が形成されている。
【００４６】
本実施形態において、ダクト１２は、第一の壁部Ｗ１近傍及び第二の壁部Ｗ２近傍まで延びるように形成されている。
【００４７】
本実施形態において、開口１５は、ダクト１２の端部１２ａまで間隔をあけて、複数個設けられている。複数の開口１５は、第一の開口１５ａと、該第一の開口１５ａよりダクト１２の端部１２ａ側に形成された第二の開口１５ｂと、を含む。第二の開口１５ｂは、第一の開口１５ａより大きな開口面積Ｂを有する。
【００４８】
すなわち、複数の開口１５の開口面積Ｂは、ダクト１２の端部１２ａに向かう開口１５ほど大きくなるように形成されている。
【００４９】
本実施形態において、複数の開口１５は、第二の開口１５ｂよりダクト１２の端部１２ａ側に形成された第三の開口１５ｃをさらに含む。
【００５０】
第二の開口１５ｂと第三の開口１５ｃとの間の間隔は、第一の開口１５ａと第二の開口１５ｂとの間の間隔より小さくなるように形成されている。すなわち、複数の開口１５の開口間の間隔は、ダクト１２の端部１２ａに向かうほど小さくなるように形成されている。
【００５１】
本実施形態において、ダクト１２は、空気の吹出口１１ａの近傍に、空気の吹出口１１ａから吹き出された空気Ａを吸い込む吸込口１２ｂを備える。吸込口１２ｂは、例えば、メッシュ形状に形成されている。なお、本実施形態において、吸込口１２ｂは、メッシュ形状に形成されているが、これに限定されるものではなく、例えば、以下に示すような、所望の流量係数及び開口面積を有するようなものであればよい。
【００５２】
本実施形態において、吸込口１２ｂにおける流量係数をαとした場合、流量係数αは、α≧０．５を満たす。
【００５３】
本実施形態において、吸込口１２ｂにおける開口面積をＢとし、実効面積をαＡとした場合、開口面積Ｂに対する実効面積αＡの値αＡ／Ｂは、αＡ／Ｂ≧０．４を満たす。
【００５４】
本実施形態において、天井ＣＬの裏面やダクト１２内部の上面付近に結露を発生させることを防止すべく、ダクト１２内部の上面には、プラスチック樹脂が貼付されている（図示せず）。より具体的には、ダクト１２内部の上面には、ポリスチレン樹脂が、貼付されている。ポリスチレン樹脂は、１５ｍｍ以上の厚みを有することが好ましい。
【００５５】
図４に示すように、第一の壁部Ｗ１（第二の壁部Ｗ２）付近の、所謂、ペリメータゾーンは、例えば、直射日光を受けるため、熱負荷が大きい。そのため、本実施形態において、ダクト１２の端部１２ａには、第一の壁部Ｗ１及び第二の壁部Ｗ２に向けて、空気Ａを吹き出す吹出口１６が形成されている。ダクト１２からの空気Ａを、吹出口１６からペリメータゾーンに優先的に吹き出すことで、ペリメータゾーンにおける熱処理の効率化を図っている。
【００５６】
本実施形態において、吹出口１６には、風向板１６ａが設けられている。ダクト１２の端部１２ａの吹出口１６から吹き出された空気Ａは、風向板１６ａを介して、下方に向けて流れた後、第一の壁部Ｗ１（第二の壁部Ｗ２）に沿って流れるため、窓Ｗ付近に直接吹き出されることがない。このような構成によって、第一の壁部Ｗ１（第二の壁部Ｗ２）付近に均一な空気を届けることができる。
【００５７】
本実施形態において、ダクト１２の底部１４は、フラット状に形成されている。本実施形態において、ダクト１２の底部１４は、フラット状に形成されているが、これに限定されるものではなく、例えば、ダクト１２の底部１４は、円弧状に形成されてもよい。本実施形態において、ダクト１２の底部１４からの放熱（図３中のダクト１２の底部１４における矢印を参照のこと）によって、ダクト空調・照明一体型システム１００の上下温度差を軽減するのに寄与する。
【００５８】
本実施形態において、ダクト１２は、室内Ｒの間仕切り棚ＰＳの直上に配置されている。これにより、ダクト１２の開口１５から吹き出された空気Ａは、室内Ｒの居住者付近に直接届くのではなく、室内Ｒの間仕切り棚ＰＳを介して、ダクト１２から離れた位置の居住者に、心地よい微気流として届くようになる。
【００５９】
（照明具３０の構成）
本実施形態において、図６〜図１０に示すように、室内Ｒの天井ＣＬに配置されるダクト１２の側部１３に設けられ、天井ＣＬに向けて光を放射する照明具３０を、さらに備える。なお図６〜１０において、図中の点線で示す矢印は、照明具３０から放射された光又は天井ＣＬで放射された光を表している。
【００６０】
図６に示すように、ダクト１２は、側部１３から側方に突出する顎部１７を備える。照明具３０は、顎部１７上に設けられている。顎部１７は、その先端部１７ａに、上方に延びる立上り部１７ｂを備える。
【００６１】
（照明具３０の変形例１）
或いは、図７に示すように、照明具３０は、シェード３１で覆われていてもよい。照明具３０は、ダクト１２の側部１３に、斜め下方向に取り付けられている。シェード３１によって、照明具３０から放射された光が、分散されやすくなる。
【００６２】
（照明具の変形例２）
或いは、図８に示すように、照明具３０は、ダクト１２の側部１３に設けられた導光板照明具３２であってもよい。
【００６３】
（照明具の変形例３）
或いは、図９に示すように、ダクト１２の側部１３は、天井ＣＬから下方に延びる第一の側部１３ａと、ダクト１２の底部１４から上方に延びる第二の側部１３ｂと、を備え、第一の側部１３ａと、第二の側部１３ｂとの間には、隙間Ｓが形成されていてもよい。
【００６４】
なお、図示しないが、第一の側部１３ａ及び第二の側部１３ｂは、天井ＣＬに対して傾斜して設けられていてもよい。例えば、第一の側部１３ａ及び第二の側部１３ｂは、ダクト１２の側部１３から外方に向けて傾斜して設けられてもよい。
【００６５】
（照明具の変形例４）
或いは、図１０に示すように、ダクト１２の側部１３の一部は、一対の風向板１３ｃ，１３ｄとして形成され、ダクト１２に案内された空気Ａは、天井ＣＬと風向板１３ｃとの間、一対の風向板１３ｃ，１３ｄの間から、室内Ｒに送り出されるようにしてもよい。
【００６６】
本実施形態において、図示しないが、照明具３０は、直管型ＬＥＤを含んでもよい。或いは、照明具３０は、一般的な蛍光灯等の蛍光管であってもよい。
【００６７】
図６〜図８に示すように、本実施形態において、天井ＣＬ及びダクト１２の側部１３の少なくとも何れか一方には、照明具３０から放射された光を反射する反射フィルム１８が被覆されていてもよい。本実施形態において、天井ＣＬ及びダクト１２の側部１３には、照明具３０から放射された光を反射する反射フィルム１８が被覆されている。
【００６８】
天井ＣＬ及びダクト１２の側部１３の少なくとも何れか一方には、拡散反射率９０％以上の高反射フィルム１８が被覆されている。本実施形態において、天井ＣＬ及びダクト１２の側部１３には、拡散反射率９０％以上の高反射フィルム１８が被覆されている。
【００６９】
以上のように、本実施形態に係るダクト空調・照明一体型システム１００によれば、気流感の少ない空気Ａを効率的に送り出すことができ、ダクト１２によって流れを拘束されることにより、気流到達範囲を拡大することができる。さらに、空調機１１等の台数を通常より減らしても、平面的に温度差の少ない空調とすることができる。
【００７０】
また、ダクト１２の側部１３に設けられた照明具３０が、居住者から見えにくく、かつ意匠性に優れている。そして、照明具３０から放射された光が、天井ＣＬに向けて放射されるため、光が室内Ｒに拡散され、照明具３０から室内Ｒに直接放射される光に比し、居住者が、眩しさを感じず、心地よい光を届けることができる。
【００７１】
また、照明具３０から室内Ｒに直接放射された光と異なり、照度を落として省エネを図ることができるが、明るさ感を低下させることなく、間接照明としての役割を果たす。また、間接照明によって、天井ＣＬを高く見せられるといった、視覚的効果も有することができる。
【００７２】
また、ダクト１２の顎部１７に設けられた照明具３０が、ダクト１２に安定して取り付けられるとともに、居住者からより見えにくく、意匠性により優れたものとなる。
【００７３】
また、照明具３０が、立上り部１７ｂによって、居住者からさらに見えにくく、意匠性にさらに優れたものとなる。また、照明具３０から放射された光が、顎部１７から室内Ｒに直接漏れ出すことを防ぐことができる。
【００７４】
また、シェード３１で覆われた照明具３０が、居住者から見えなくなり、美観を向上させ、意匠性にさらに優れたものとなる。また、照明具３０から放射された光が、シェード３１によってより拡散しやすくなる。
【００７５】
また、導光板照明具３２により、表面に均一の光を出すことができる。また、居住者が、導光板照明具３２から天井に向けて放射された光によって、眩しさを感じず、心地よい光を届けることができる。
【００７６】
また、ダクト１２に案内され、第一の側部１３ａ及び第二の側部１３ｂとの間の隙間Ｓから送り出された空気Ａは、天井ＣＬに沿う方向に流れ、より気流感の少ない空気となって下降し、室内Ｒに送り出されるようになる。
【００７７】
また、照明具３０から天井ＣＬに向けて放射された光は、隙間Ｓからダクト１２内に入って干渉することがなく、ダクト１２内が、居住者から見えることがない。
【００７８】
また、ダクト１２から案内された気流感の少ない空気Ａを、室内Ｒ全体に亘って、効率的に送り出すことができるとともに、照明具３０から天井ＣＬに向けて放射された光を、室内Ｒ全体に亘って届けることができ、居住者が、眩しさを感じず、心地よい光を届けることができる。
【００７９】
また、照明具３０から天井ＣＬに向けて放射された光が、反射フィルム１８によって効率的に反射され、照度を落としても、明るさ感を低下させることがない。また、室内Ｒ全体に亘って、眩しさを感じず、より心地よい光を届けることができる。
【００８０】
また、空調機１１の空気の吹出口１１ａから吹き出された空気を、ダクト１２を介して案内することで、気流感の少ない空気を効率的に送り出すことができる。
【００８１】
また、ダクト１２の側部１３に設けられた照明具３０が、居住者から見えにくく、かつ意匠性に優れている。そして、居住者が、眩しさを感じず、心地よい光を届けることができる。
【００８２】
尚、本発明のダクト空調・照明一体型システム１００は、上記実施形態に限定されるものではなく、本発明の要旨を逸脱しない範囲で適宜変更し得ることは勿論のことである。
【００８３】
上記実施形態において、ダクト１２内部の上面には、断熱材として、ポリスチレンフォームが貼付されているが、これに限定されるものではなく、任意の断熱材が貼付されてもよい。要は、天井ＣＬの下面における結露を防止できるようなものであればよい。
【００８４】
上記実施形態において、ダクト１２の端部１２ａには、第一の壁部Ｗ１及び第二の壁部Ｗ２に向けて、空気Ａを吹き出す吹出口１６が形成され、吹出口１６には風向板１６ａが設けられているが、これに限定されるものではなく、例えば、ダクト１２の端部１２ａには、窓Ｗとダクト１２の端部１２ａとの間に、ダクト１２の端部１２ａに接続された当て板（図示せず）を設けてもよい。
【００８５】
これにより、吹出口１６から吹き出された空気Ａは、当て板によって、第一の壁部Ｗ１及び第二の壁部Ｗ２に向かう方向から、左右方向、すなわち、第一の壁部Ｗ１及び第二の壁部Ｗ２に沿う方向に流れることができる。
【００８６】
上記実施形態において、ダクト１２は、室内Ｒの天井ＣＬに配置されているが、例えば、ダクト１２は、第一の壁部Ｗ１（第二の壁部Ｗ２）に接続された状態であってもよい。要は、空調機１１等の空気の吹出口１１ａからの空気Ａを案内して、室内Ｒに送り出せるような構成であればよい。
【００８７】
本実施形態において、拡散反射率９０％以上の高反射フィルム１８が被覆されているが、これに限定されるものではなく、照明具３０から天井ＣＬに向けて放射された光が、効率よく反射され、居住者が、眩しさを感じず、心地よい光を届けることができるものであればよい。
【００８８】
本実施形態において、複数の開口１５のそれぞれに、風向板が設けられていてもよい。これにより、ダクト１２に案内された空気Ａは、風向板によって複数の開口１５のそれぞれから、所望の角度で送り出されることができる。この場合、複数の風向板は、ダクト１２の端部１２ａに向かうほど傾斜して設けられていてもよい。
【産業上の利用可能性】
【００８９】
本発明のダクト空調・照明一体型システムは、オフィスビルや公共施設等の建物において天井空間等に設置されるダクトを利用して空気を供給する空調システムに、有効に適用される。
【符号の説明】
【００９０】
１０  空調部、１１  空調機、１１ａ  空気の吹出口、１２  ダクト、１２ａ  端部、１２ｂ  吸込口、１３  側部、１３ａ  第一の側部、１３ｂ  第二の側部、１３ｃ，１３ｄ  一対の風向板、１４  底部、１５  開口、  第一の開口、１５ｂ  第二の開口、１５ｃ  第三の開口、１６  吹出口、１６ａ  風向板、１７  顎部、１７ａ  先端部、１７ｂ  立上り部、１８  反射フィルム（高反射フィルム）、３０  照明具、３１  シェード、３２  導光板照明具、１００  ダクト空調・照明一体型システム、Ａ  空気、Ｂ  開口面積、Ｃ  複数組の椅子、ＣＬ  天井、Ｄ  複数の机、Ｓ  隙間、Ｒ  室内、Ｗ  窓、Ｗ１  第一の壁部、Ｗ２  第二の壁部、ＢＳ  書棚、ＰＳ  間仕切り棚、α  流量係数、αＢ  実効面積。
【図１】
2018194259.tif 000003
【図２】
2018194259.tif 000004
【図３】
2018194259.tif 000005
【図４】
2018194259.tif 000006
【図５】
2018194259.tif 000007
【図６】
2018194259.tif 000008
【図７】
2018194259.tif 000009
【図８】
2018194259.tif 000010
【図９】
2018194259.tif 000011
【図１０】
2018194259.tif 000012